(57)【特許請求の範囲】
【請求項１】
濾過するための血液が流入する流入連結部(3)を蓋部(2a)に備えると共に、濾過された血液が流出する流出連結部(4)を底面(2b)に備えた外壁(2)と、
前記外壁(2)によって画成される空間を前記流入連結部(3)に連通する部分(5)と、前記流出連結部(4)に連通する部分(7)とに分割するように設けられ、血液中に含まれる脂肪を保持するのに適合した素材からなる層(6b)を有するフィルタ体(6) 
とを備えた心臓切開手術用貯蔵器(1)において、
前記流出連結部を含む領域を異なる位置で分割するように形成された第１隔壁(11)と第２隔壁(10)とが設けられ、
前記第１隔壁(11)と第２隔壁(10)とには、前記流出連結部(4)に至る血液流路を前記血液が流通するための開口部(10a,11a)が前記底面(2b)に対して異なる高さに配設され、
前記開口部(11a)は前記流出連結部(4)に近接して位置する前記第１隔壁(11)に設けられ、前記底面(2b)からの高さが前記第２隔壁(10)に設けられた開口部(10a)の高さより高くなっており、
さらに心臓切開手術用貯蔵器は前記流出連結部(4)を閉鎖する遮断手段を備えることを特徴とする心臓切開手術用貯蔵器(1)。
【請求項２】
前記フィルタ体(6)は、前記流入連結部(3)に連通する領域側から、
第１脱泡スポンジ層(6a)と、
脂肪を保持することに適する前記層である不織布層(6b)と、
第２脱泡スポンジ層と、
封入ネット(6e)と、
を備えることを特徴とする、請求項１に記載の心臓切開手術用貯蔵器。
【請求項３】
前記フィルタ体(6)は、脂肪を保持するのに適した材料からなる前記層(6b)の外側に白血球フィルタ層(6c)を備えることを特徴とする、請求項１に記載の心臓切開手術用貯蔵器。
【請求項４】
前記白血球フィルタ層(6c)は  前記フィルタ体(6)全体の高さより高さを縮小させ、分断領域を有することを特徴とする、請求項３に記載の心臓切開手術用貯蔵器。
【請求項５】
前記フィルタ体(6)は、前記流入連結部(3)に連通する領域側から、
第１脱泡スポンジ(6a)層と、
脂肪を保持するのに適する不織布層(6b)と、
白血球フィルタ層(6c)と、
第２脱泡スポンジ層(6d)と、
封入ネット(6e)と、
を備えることを特徴とする、請求項１乃至４のいずれかに記載の心臓切開手術用貯蔵器。
【請求項６】
前記第１隔壁(11)は前記底面(2b)から突設されており、前記底面(2b)の上方に位置して該底面に平行な横方向仕切板(8)から所定距離離れた位置に達し、前記第２隔壁(10)は前記横方向仕切板(8)から延設されて前記底面(2b)に向かって前記底面(2b)の手前の位置まで突設されていることを特徴とする、請求項１乃至５のいずれかに記載の心臓切開手術用貯蔵器。
【請求項７】
前記第１隔壁(11)は、前記底面(2b)から延設されており、前記底面(2b)の上方に位置して該底面(2b)に平行である横方向仕切板(8)から所定距離離れた位置に達し、
前記第２隔壁(10)は、前記横方向仕切板(8)から前記底面(2b)に向かって該底面(2b)の手前の位置まで延設され、
前記横方向仕切板(8)は、前記フィルタ体(6)を支えると共に、前記心臓切開手術用貯蔵器の縦軸方向に延設されたスリーブ(9)に接続されており、
前記スリーブ(9)の上端は前記心臓切開手術用貯蔵器の外側に向かって開口し、下端は２つの隔壁(10,11)により区切られて前記流出連結部(4)を含む領域に開口しており、
前記横方向仕切板(8)はスリーブ(9)の回転により、前記流出連結部(4)を開放する位置と、前記流出連結部(4)を遮断して、濾過された血液が前記スリーブ(9)を通って吸引されることを可能とする位置とに選択的に配置可能な隔壁(12)を備える
ことを特徴とする、請求項１乃至６のいずれかに記載の心臓切開手術用貯蔵器。
【発明の詳細な説明】
【技術分野】
【０００１】
本発明は、心臓切開手術用貯蔵器に関する。
【背景技術】
【０００２】
外科手術の間、手術現場で収集された血液を受け取って濾過し、適切な処置の後に患者へ血液を戻すように構成されている心臓切開手術用貯蔵器のような装置が知られている。
手術現場から心臓切開手術用貯蔵器に達する血液は、特に胸骨や乳房部の切れ目から出た脂肪を含み、例えば脳動脈の閉塞のような危険な結果を伴う微小塞栓症を引き起こす可能性がある。
【発明の概要】
【発明が解決しようとする課題】
【０００３】
従って、これらの脂肪は患者への返血の前に血液から除去されなければならず、背景技術においては、濾過器の中に設けられた不織布層を用いることによりこれが行われるが、効果はかなり限定的なものとなる。
上述に加え、血液中の白血球の量を調整する必要があり、このために背景技術では白血球フィルタとして知られている特定の濾過材を用いていることを特筆すべきである。この白血球フィルタは、血液が流動する経路中に介装されている専用の器具に挿入されている。
【０００４】
従って、本発明の狙いは、血液中に存在する脂肪の除去に対して大きな効果が得られる心臓切開手術用貯蔵器を提供することにある。
このような狙いの中で、本発明の目的は、血液中に存在する白血球の量を調整可能な心臓切開手術用貯蔵器を得ることにある。
【課題を解決するための手段】
【０００５】
上記の狙い及び目的を達成するべく、本発明に係る心臓切開手術用貯蔵器は、濾過するための血液が流入する流入連結部を蓋部に備えると共に、濾過された血液が流出する流出連結部を底面に備えた外壁と、前記外壁によって画成される空間を前記流入連結部に連通する部分と、前記流出連結部に連通する部分とに分割するように設けられ、血液中に含まれる脂肪を保持するのに適合した素材からなる層を有するフィルタ体とを備えた心臓切開手術用貯蔵器において、前記流出連結部を含む領域を異なる位置で分割するように形成された第１隔壁と第２隔壁とが設けられ、前記第１隔壁と第２隔壁とには、前記流出連結部に至る血液流路を前記血液が流通するための開口部が前記底面に対して異なる高さに配設され、前記開口部は前記流出連結部に近接して位置する前記第１隔壁に設けられ、前記底面からの高さが前記第２隔壁に設けられた開口部の高さより高くなっており、さらに心臓切開手術用貯蔵器は前記血液流出連結部を閉鎖する遮断手段を備えることを特徴とする。
【図面の簡単な説明】
【０００６】
【図１】本発明に係る心臓切開手術用貯蔵器の概略縦断面図である。
【図２】図１とは異なる作動状態における心臓切開手術用貯蔵器の断面図である。
【図３】図１とは異なる作動状態における心臓切開手術用貯蔵器の断面図である。
【図４】図１〜３の心臓切開手術用貯蔵器で用いられている白血球フィルタの詳細な斜視図である。
【発明を実施するための形態】
【０００７】
さらなる特徴や効果は、限定されない例として添付の図面に示された、その好ましいが限定的ではない本発明に係る心臓切開手術用貯蔵器の実施形態についての説明から明らかとなる。
図を参照すると、参照番号１は全般に心臓切開手術用貯蔵器を示しており、手術現場から到達した濾過しようとする血液が流入するための流入連結部３が蓋部２ａに設けられると共に、濾過された血液を流出させるための流出連結部４が底面２ｂに設けられた外壁２を備える。
【０００８】
連結部３を通して心臓切開手術用貯蔵器１に入った血液は、図中に矢印で示すように、空隙部分５に入り、円筒状に形成された多層のフィルタ体６を通過して空隙部分７に到達し、後に具体的に述べるようにして流出連結部４に到達する。
より正確に言えば、フィルタ体６は第１脱泡スポンジ層６ａと、脂肪を保持するのに適した不織布層６ｂと、白血球フィルタ層６ｃと、第２脱泡スポンジ層６ｄと、封入ネット６ｅとを備える。
【０００９】
白血球フィルタ層６ｃはより高密度であって、フィルタ体６の高さに対して高さを縮小させた大きさとなっており、また、図４に示すように分断領域を有している。
分断領域は血液中に存在する白血球の量を調整する２つの機能を発揮し、不織布層６ｂとの間で相乗効果を奏し、白血球フィルタ層６ｃを通過する際に血液の流動が減速して、不織布層６ｂで得られる脂肪の保持能力が確実に強化される。
【００１０】
フィルタ体６は、底面２ｂの上方に位置する横方向仕切板８によって支えられており、横方向仕切板８は心臓切開手術用貯蔵器１の縦軸に沿って延設されたスリーブ９に一体的に接続されている。スリーブ９は一端が開口し、自身の軸線周りに回転可能となっており、当然のことながら、横方向仕切板８と一緒に回転するようになっている。
本発明に係る心臓切開手術用貯蔵器の重要な特徴は、血液の流出連結部４を含む領域を区切る２つの円形隔壁１０、１１の存在にある。
【００１１】
隔壁１０は横方向仕切板８から一体的に底面２ｂに向かって底面２ｂに接することなく延設され、隔壁１１は底面２ｂから一体的に延設されて、横方向仕切板８から所定の距離に達している。これにより、図１や図３の矢印に示すように、流出連結部４へ向かって通過する血液と連続して交差するように構成された開口部１０ａ、１１ａが存在することになり、開口部１０ａ、１１ａは底面２ｂから異なった高さに配置される。より正確に言えば、外側の隔壁１０に備えられた開口部１０ａは、内側の隔壁１１にある開口部１１ａよりも下位にある。
【００１２】
最後に、横方向仕切板８は、スリーブ９及び横方向仕切板８によって形成される機構の回転に追従すると共に、底面２ｂから延設された突片１３と協働し、図１及び図３に示されるように流出連結部４が開口する位置と、図２に示されるように流出連結部４の開口を遮断する位置とに選択的に配置される隔壁１２を備えている。これにより、必要に応じてスリーブ９から血液を吸引することが可能となる。
【００１３】
本発明に係る心臓切開手術用貯蔵器の作動は上述から明らかである。
血液からの脂肪の除去がフィルタ体６に含まれる不織布層６ｂにより行われることは十分に配慮されているため、開口部１０ａ、１１ａの利用が必要でないと考える場合は、流入連結部３及び流出連結部４を通して血液が心臓切開手術用貯蔵器内にある間、常に流出連結部４を開いた状態に維持するだけで十分であって、図１に示す状態が得られ、開口部１０ａ、１１ａの存在は少しも機能に影響を及ぼさない。
【００１４】
代わりに、血液が心臓切開手術用貯蔵器内にある間流出連結部４が閉じられていると、図２に示す状態が生じる。このとき血液は底面２ｂに対する高さが上昇して最上層１４に軽い脂肪の層を形成する。
ある時点で、操作者が流出連結部４を開放して図３に示される状態にすると、血液は心臓切開手術用貯蔵器から流出するが、脂肪の層１４は導管の原理によって相互に調整される液面により隔壁１０に保持され、使用後の心臓切開手術用貯蔵器と一緒に廃棄されるようになっている。
【００１５】
流出連結部４の閉塞期間の終わりに、当該流出連結部４を開ける代わりに血液がスリーブ９を介して吸引される場合の効果は同一であり、本発明の心臓切開手術用貯蔵器により提供される、脂肪が含まれた血液の浄化効果は重要である。
以上のように説明した本発明は様々な改良や変更が可能であり、それらはいずれも添付の特許請求の範囲に含まれる。例えば、２つの隔壁１０、１１の血液の通路となる開口部は、あらゆる方法によって設けることが可能である。
【図１】
0005343286.tif 000002
【図２】
0005343286.tif 000003
【図３】
0005343286.tif 000004
【図４】
0005343286.tif 000005